(57)【要約】【課題】  ひとつの識別タグのみ受け付けるＡＳＰを利用する場合にも、複数の者の間でアフィリエイト報酬を獲得する機会を分配することのできる装置およびプログラムを提供する。【解決手段】  中継装置は、紹介装置から商品情報と紹介者の識別タグとを受信し、前記紹介者の識別タグまたは仲介者の識別タグのいずれかひとつを確率的に選択し、前記受信した商品情報と、前記選択した識別タグとを、購入装置に送信する。【選択図】図１
2012073988.tif 000002
【特許請求の範囲】
【請求項１】
商品情報および識別タグを紹介装置から購入装置へ中継するための中継装置であって、
前記紹介装置は、紹介者によって使用され、
商品情報および識別タグを前記中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記中継装置へ送信するように構成された制御部とを備え、
前記中継装置は、仲介者によって管理され、
商品情報および識別タグを前記紹介装置から受信するための受信部と、
商品情報および識別タグを前記購入装置へ送信するための送信部と、
前記仲介者の識別タグを格納するための記憶部と、
前記受信部が商品情報および識別タグを受信したことを受けて、前記記憶部に格納された識別タグを読み込み、前記受信した識別タグまたは前記読み込んだ識別タグのいずれかひとつを確率的に選択し、前記受信した商品情報と、前記選択した識別タグとを、前記送信部から前記購入装置へ送信するように構成された制御部とを備え、
前記購入装置は、購入者によって使用され、
商品情報および識別タグを前記中継装置から受信するための受信部と、
商品情報および識別タグを販売装置へ送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
商品情報および識別タグを前記購入装置から受信するための受信部と、
商品情報および識別タグを記録するための記録部と、
前記受信部が商品情報および識別タグを受信したことを受けて、前記記録部に前記商品情報および識別タグを記録するように構成された制御部とを備えることを特徴とする、前記中継装置。
【請求項２】
商品情報および識別タグを紹介装置から購入装置へ中継するための中継プログラムであって、
前記紹介装置は、紹介者によって使用され、
商品情報および識別タグを前記中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記中継装置へ送信するように構成された制御部とを備え、
前記中継装置は、仲介者によって管理され、
前記紹介装置から商品情報および識別タグを受信するための受信部と、
商品情報および識別タグを前記購入装置へ送信するための送信部と、
前記仲介者の識別タグを格納するための記憶部と、
前記中継プログラムを動作させるための制御部とを備え、
前記購入装置は、購入者によって使用され、
商品情報および識別タグを前記中継装置から受信するための受信部と、
商品情報および識別タグを販売装置へ送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
商品情報および識別タグを前記購入装置から受信するための受信部と、
商品情報および識別タグを記録するための記録部と、
前記受信部が商品情報および識別タグを受信したことを受けて、前記記録部に前記商品情報および識別タグを記録するように構成された制御部とを備え、
前記中継プログラムは、前記中継装置において、
前記受信部が商品情報および識別タグを受信したことを受けて、前記記憶部に格納された識別タグを読み込み、前記受信した識別タグまたは前記読み込んだ識別タグのいずれかひとつを確率的に選択し、前記受信した商品情報と、前記選択した識別タグとを、前記送信部から前記購入装置へ送信するための、
前記中継プログラム。
【請求項３】
商品情報と、紹介者の識別タグと、仲介者の識別タグとを、第１の中継装置から第２の中継装置へ中継するための、第３の中継装置であって、
前記第１の中継装置は、第１の仲介者によって管理され、
商品情報と、紹介者の識別タグとを、紹介装置から受信するための受信部と、
商品情報と、紹介者の識別タグと、仲介者の識別タグとを、前記第３の中継装置へ送信するための送信部と、
前記第１の仲介者の識別タグを格納するための記憶部と、
前記受信部が、商品情報と、紹介者の識別タグとを受信したことを受けて、前記記憶部に格納された識別タグを読み込み、前記受信した商品情報と、前記受信した紹介者の識別タグと、前記読み込んだ識別タグとを、前記送信部から前記第３の中継装置へ送信するように構成された制御部とを備え、
前記第２の中継装置は、第２の仲介者によって管理され、
商品情報と、紹介者の識別タグと、仲介者の識別タグとを、前記第３の中継装置から受信するための受信部と、
商品情報および識別タグを購入装置へ送信するための送信部と、
前記第２の仲介者の識別タグを格納するための記憶部と、
前記受信部が、商品情報と、紹介者の識別タグと、仲介者の識別タグとを受信したことを受けて、前記記憶部に格納された識別タグを読み込み、前記紹介者の識別タグまたは前記仲介者の識別タグまたは前記読み込んだ識別タグのうちいずれかひとつを確率的に選択し、前記受信した商品情報と、前記選択した識別タグとを、前記送信部から前記購入装置へ送信するように構成された制御部とを備え、
前記第３の中継装置は、第３の仲介者によって管理され、
商品情報と、紹介者の識別タグと、仲介者の識別タグとを、前記第１の中継装置から受信するための受信部と、
商品情報と、紹介者の識別タグと、仲介者の識別タグとを、前記第２の中継装置、または前記第３の中継装置と同様の構成を備える中継装置へ送信するための送信部と、
前記第３の仲介者の識別タグを格納するための記憶部と、
前記受信部が、商品情報と、紹介者の識別タグと、仲介者の識別タグとを受信したことを受けて、前記記憶部に格納された識別タグを読み込み、前記受信した仲介者の識別タグまたは前記読み込んだ識別タグのいずれかひとつを確率的に選択し、前記受信した商品情報と、前記受信した紹介者の識別タグと、前記選択した識別タグとを、前記送信部から、前記第２の中継装置、または前記第３の中継装置と同様の構成を備える中継装置へ送信するように構成された制御部とを備え、
前記紹介装置は、紹介者によって使用され、
商品情報および識別タグを前記第１の中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記第１の中継装置へ送信するように構成された制御部とを備え、
前記購入装置は、購入者によって使用され、
商品情報および識別タグを前記第２の中継装置から受信するための受信部と、
販売装置へ商品情報および識別タグを送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
前記購入装置から商品情報および識別タグを受信するための受信部と、
商品情報および識別タグを記録するための記録部と、
前記受信部が商品情報および識別タグを受信したことを受けて、前記記録部に前記商品情報および識別タグを記録するように構成された制御部とを備えることを特徴とする、前記中継装置。
【請求項４】
商品情報と、紹介者の識別タグと、仲介者の識別タグとを、第１の中継装置から第２の中継装置へ中継するための、中継プログラムであって、
前記第１の中継装置は、第１の仲介者によって管理され、
商品情報と、紹介者の識別タグとを、紹介装置から受信するための受信部と、
商品情報と、紹介者の識別タグと、仲介者の識別タグとを、第３の中継装置へ送信するための送信部と、
前記第１の仲介者の識別タグを格納するための記憶部と、
前記受信部が、商品情報と、紹介者の識別タグとを受信したことを受けて、前記記憶部に格納された識別タグを読み込み、前記受信した商品情報と、前記受信した紹介者の識別タグと、前記読み込んだ識別タグとを、前記送信部から前記第３の中継装置へ送信するように構成された制御部とを備え、
前記第２の中継装置は、第２の仲介者によって管理され、
商品情報と、紹介者の識別タグと、仲介者の識別タグとを、前記第３の中継装置から受信するための受信部と、
商品情報および識別タグを購入装置へ送信するための送信部と、
前記第２の仲介者の識別タグを格納するための記憶部と、
前記受信部が、商品情報と、紹介者の識別タグと、仲介者の識別タグとを受信したことを受けて、前記記憶部に格納された識別タグを読み込み、前記紹介者の識別タグまたは前記仲介者の識別タグまたは前記読み込んだ識別タグのうちいずれかひとつを確率的に選択し、前記受信した商品情報と、前記選択した識別タグとを、前記送信部から前記購入装置へ送信するように構成された制御部とを備え、
前記第３の中継装置は、第３の仲介者によって管理され、
商品情報と、紹介者の識別タグと、仲介者の識別タグとを、前記第１の中継装置から受信するための受信部と、
商品情報と、紹介者の識別タグと、仲介者の識別タグとを、前記第２の中継装置、または前記第３の中継装置と同様の構成を備える中継装置へ送信するための送信部と、
前記第３の仲介者の識別タグを格納するための記憶部と、
前記中継プログラムを動作させるための制御部とを備え、
前記紹介装置は、紹介者によって使用され、
商品情報および識別タグを前記第１の中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記第１の中継装置へ送信するように構成された制御部とを備え、
前記購入装置は、購入者によって使用され、
商品情報および識別タグを前記第２の中継装置から受信するための受信部と、
販売装置へ商品情報および識別タグを送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
商品情報および識別タグを前記購入装置から受信するための受信部と、
商品情報および識別タグを記録するための記録部と、
前記受信部が商品情報および識別タグを受信したことを受けて、前記記録部に前記商品情報および識別タグを記録するように構成された制御部とを備え、
前記中継プログラムは、前記第３の中継装置において、
前記受信部が、商品情報と、紹介者の識別タグと、仲介者の識別タグとを受信したことを受けて、前記記憶部に格納された識別タグを読み込み、前記受信した仲介者の識別タグまたは前記読み込んだ識別タグのいずれかひとつを確率的に選択し、前記受信した商品情報と、前記受信した紹介者の識別タグと、前記選択した識別タグとを、前記送信部から、前記第２の中継装置、または前記第３の中継装置と同様の構成を備える中継装置へ送信するための、
中継プログラム。
【請求項５】
商品情報と、紹介者の識別タグと、複数の仲介者の識別タグとを、第１の中継装置または第３の中継装置から購入装置へ中継するための、第２の中継装置であって、
前記第１の中継装置は、第１の仲介者によって管理され、
商品情報と、紹介者の識別タグとを、紹介装置から受信するための受信部と、
商品情報と、紹介者の識別タグと、仲介者の識別タグとを、前記第３の中継装置へ送信するための送信部と、
前記第１の仲介者の識別タグを格納するための記憶部と、
前記受信部が、商品情報と、紹介者の識別タグとを受信したことを受けて、前記記憶部に格納された識別タグを読み込み、前記受信した商品情報と、前記受信した紹介者の識別タグと、前記読み込んだ識別タグとを、前記送信部から前記第３の中継装置へ送信するように構成された制御部とを備え、
前記第２の中継装置は、第２の仲介者によって管理され、
商品情報と、紹介者の識別タグと、複数の仲介者の識別タグとを、前記第３の中継装置から受信するための受信部と、
商品情報および識別タグを前記購入装置へ送信するための送信部と、
前記第２の仲介者の識別タグを格納するための記憶部と、
前記受信部が、商品情報と、紹介者の識別タグと、複数の仲介者の識別タグとを受信したことを受けて、前記記憶部に格納された識別タグを読み込み、前記紹介者の識別タグおよび前記複数の仲介者の識別タグおよび前記読み込んだ識別タグの中からいずれかひとつを確率的に選択し、前記受信した商品情報と、前記選択した識別タグとを、前記送信部から前記購入装置へ送信するように構成された制御部とを備え、
前記第３の中継装置は、第３の仲介者によって管理され、
商品情報と、紹介者の識別タグと、複数の仲介者の識別タグとを、前記第１の中継装置から受信するための受信部と、
商品情報と、紹介者の識別タグと、複数の仲介者の識別タグとを、前記第２の中継装置、または前記第３の中継装置と同様の構成を備える中継装置へ送信するための送信部と、
前記第３の仲介者の識別タグを格納するための記憶部と、
前記受信部が、商品情報と、紹介者の識別タグと、仲介者の識別タグとを受信したことを受けて、前記記憶部に格納された識別タグを読み込み、前記商品情報と、前記紹介者の識別タグと、前記受信した複数の仲介者の識別タグおよび、前記読み込んだ識別タグとを、前記送信部から、前記第２の中継装置、または前記第３の中継装置と同様の構成を備える中継装置へ送信するように構成された制御部とを備え、
前記紹介装置は、紹介者によって使用され、
商品情報および識別タグを前記第１の中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記第１の中継装置へ送信するように構成された制御部とを備え、
前記購入装置は、購入者によって使用され、
商品情報および識別タグを前記第２の中継装置から受信するための受信部と、
販売装置へ商品情報および識別タグを送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
前記購入装置から商品情報および識別タグを受信するための受信部と、
商品情報および識別タグを記録するための記録部と、
前記受信部が商品情報および識別タグを受信したことを受けて、前記記録部に前記商品情報および識別タグを記録するように構成された制御部とを備えることを特徴とする、前記中継装置。
【請求項６】
商品情報と、紹介者の識別タグと、複数の仲介者の識別タグとを、第１の中継装置または第３の中継装置から購入装置へ中継するための、中継プログラムであって、
前記第１の中継装置は、第１の仲介者によって管理され、
商品情報と、紹介者の識別タグとを、紹介装置から受信するための受信部と、
商品情報と、紹介者の識別タグと、仲介者の識別タグとを、前記第３の中継装置へ送信するための送信部と、
前記第１の仲介者の識別タグを格納するための記憶部と、
前記受信部が、商品情報と、紹介者の識別タグとを受信したことを受けて、前記記憶部に格納された識別タグを読み込み、前記受信した商品情報と、前記受信した紹介者の識別タグと、前記読み込んだ識別タグとを、前記送信部から前記第３の中継装置へ送信するように構成された制御部とを備え、
前記第２の中継装置は、第２の仲介者によって管理され、
商品情報と、紹介者の識別タグと、複数の仲介者の識別タグとを、前記第３の中継装置から受信するための受信部と、
商品情報および識別タグを前記購入装置へ送信するための送信部と、
前記第２の仲介者の識別タグを格納するための記憶部と、
前記中継プログラムを動作させるための制御部とを備え、
前記第３の中継装置は、第３の仲介者によって管理され、
商品情報と、紹介者の識別タグと、複数の仲介者の識別タグとを、前記第１の中継装置から受信するための受信部と、
商品情報と、紹介者の識別タグと、複数の仲介者の識別タグとを、前記第２の中継装置、または前記第３の中継装置と同様の構成を備える中継装置へ送信するための送信部と、
前記第３の仲介者の識別タグを格納するための記憶部と、
前記受信部が、商品情報と、紹介者の識別タグと、仲介者の識別タグとを受信したことを受けて、前記記憶部に格納された識別タグを読み込み、前記商品情報と、前記紹介者の識別タグと、前記受信した複数の仲介者の識別タグおよび、前記読み込んだ識別タグとを、前記送信部から、前記第２の中継装置、または前記第３の中継装置と同様の構成を備える中継装置へ送信するように構成された制御部とを備え、
前記紹介装置は、紹介者によって使用され、
商品情報および識別タグを前記第１の中継装置へ送信するための送信部と、
前記紹介者から商品情報を入力として受け取るための入力部と、
前記紹介者の識別タグを格納するための記憶部と、
前記入力部への商品情報の入力を受けて、前記入力された商品情報と、前記記憶部に格納された識別タグとを、前記送信部から前記第１の中継装置へ送信するように構成された制御部とを備え、
前記購入装置は、購入者によって使用され、
商品情報および識別タグを前記第２の中継装置から受信するための受信部と、
販売装置へ商品情報および識別タグを送信するための送信部と、
商品情報を前記購入者に表示するための表示部と、
前記購入者から成約処理の開始の許可を入力として受け取るための入力部と、
前記受信部が商品情報および識別タグを受信したことを受けて、前記受信した商品情報を前記表示部に表示し、前記入力部が開始の許可を受け取るまで待機し、前記受信した商品情報および識別タグを、前記送信部から前記販売装置へ送信するように構成された制御部とを備え、
前記販売装置は、ＡＳＰによって管理され、
前記購入装置から商品情報および識別タグを受信するための受信部と、
商品情報および識別タグを記録するための記録部と、
前記受信部が商品情報および識別タグを受信したことを受けて、前記記録部に前記商品情報および識別タグを記録するように構成された制御部とを備えることが特徴であって、
前記中継プログラムは、前記第２の中継装置において、
前記受信部が、商品情報と、紹介者の識別タグと、複数の仲介者の識別タグとを受信したことを受けて、前記記憶部に格納された識別タグを読み込み、前記紹介者の識別タグおよび前記複数の仲介者の識別タグおよび前記読み込んだ識別タグの中からいずれかひとつを確率的に選択し、前記受信した商品情報と、前記選択した識別タグとを、前記送信部から前記購入装置へ送信するための、
中継プログラム。
【請求項７】
送信装置から、商品情報と、２つ以上の識別タグとを受信し、販売装置に購入を要求するための購入装置であって、
前記送信装置は、紹介者によって使用され、
商品情報および識別タグを前記購入装置へ送信するための送信部と、
前記紹介者から商品情報を入力として受け取るための入力部と、
２つ以上の識別タグを格納するための記憶部と、
前記入力部への商品情報の入力を受けて、前記入力された商品情報と、前記記憶部に格納された識別タグとを、前記送信部から前記購入装置へ送信するように構成された制御部とを備え、
前記購入装置は、購入者によって使用され、
商品情報と、２つ以上の識別タグとを、前記送信装置から受信するための受信部と、
商品情報および識別タグを前記販売装置へ送信するための送信部と、
商品情報を前記購入者に表示するための表示部と、
前記購入者から成約処理の開始の許可を入力として受け取るための入力部と、
前記受信部が、商品情報と、２つ以上の識別タグとを受信したことを受けて、前記受信した商品情報を前記表示部に表示し、前記入力部が開始の許可を受け取るまで待機し、前記受信した識別タグのいずれかひとつを確率的に選択し、前記受信した商品情報と、前記選択した識別タグとを、前記送信部から前記販売装置へ送信するように構成された制御部とを備え、
前記販売装置は、ＡＳＰによって管理され、
前記購入装置から商品情報および識別タグを受信するための受信部と、
商品情報および識別タグを記録するための記録部と、
前記受信部が商品情報および識別タグを受信したことを受けて、前記記録部に前記商品情報および識別タグを記録するように構成された制御部とを備えることを特徴とする、前記購入装置。
【請求項８】
送信装置から受信した、商品情報と、２つ以上の識別タグとを処理し、販売装置に購入を要求するための購入プログラムであって、
前記送信装置は、紹介者によって使用され、
商品情報および識別タグを前記購入装置へ送信するための送信部と、
前記紹介者から商品情報を入力として受け取るための入力部と、
２つ以上の識別タグを格納するための記憶部と、
前記入力部への商品情報の入力を受けて、前記入力された商品情報と、前記記憶部に格納された識別タグとを、前記送信部から前記購入装置へ送信するように構成された制御部とを備え、
前記購入装置は、購入者によって使用され、
商品情報と、２つ以上の識別タグとを、前記送信装置から受信するための受信部と、
商品情報および識別タグを前記販売装置へ送信するための送信部と、
商品情報を前記購入者に表示するための表示部と、
前記購入者から成約処理の開始の許可を入力として受け取るための入力部と、
前記購入プログラムを動作させるための制御部とを備え、
前記販売装置は、ＡＳＰによって管理され、
前記購入装置から商品情報および識別タグを受信するための受信部と、
商品情報および識別タグを記録するための記録部と、
前記受信部が商品情報および識別タグを受信したことを受けて、前記記録部に前記商品情報および識別タグを記録するように構成された制御部とを備え、
前記購入プログラムは、
前記受信部が、商品情報と、２つ以上の識別タグとを受信したことを受けて、前記受信した商品情報を前記表示部に表示し、前記入力部が開始の許可を受け取るまで待機し、前記受信した識別タグのいずれかひとつを確率的に選択し、前記受信した商品情報と、前記選択した識別タグとを、前記送信部から前記販売装置へ送信するための、
前記購入プログラム。
【発明の詳細な説明】
【技術分野】
【０００１】本発明は、アフィリエイト報酬を獲得する機会の分配に関するものである。
【背景技術】
【０００２】従来のインターネットを用いた広告報酬分配システムとして、アフィリエイトシステムが挙げられる。【０００３】アフィリエイトシステムとは、商品の販売や決済を行う者（以下、ＡＳＰ：Ａｆｆｉｌｉａｔｅ  Ｓｅｒｖｉｃｅ  Ｐｒｏｖｉｄｅｒ）と、商品をＡＳＰで購入する者（以下、購入者）と、商品を購入者に紹介する者（以下、紹介者）とからなるシステムで、
購入者が紹介者から紹介された商品を購入したときに、ＡＳＰが紹介者に対してアフィリエイト報酬（以下、単に報酬とする）を支払うことを特徴とするシステムである。【０００４】アフィリエイトシステムでは、ＡＳＰが、紹介者を識別する情報（以下、識別タグ）を各紹介者に予め付与する。紹介者は、購入者が使用する購入装置に対し、紹介する商品の情報（識別子や名称、価格など。以下、商品情報とする。）と自分の識別タグを、紹介者が使用する紹介装置から送信する。前記購入装置は、前記商品情報および識別タグを受信すると、前記商品情報を前記購入者に対して表示し、前記購入者は、前記購入装置が表示した元に、購入するかどうかを判断する。【０００５】前記購入者が、前記購入装置を用いて、受信した商品情報を元にＡＳＰにて商品を購入するとき、前記ＡＳＰの管理する販売装置は、前記購入装置から前記紹介者の識別タグを受信し、紹介記録として記録する。前記ＡＳＰは、前記紹介記録を元に、その時点または後日に前記紹介者へ報酬を分配する。【０００６】なお、前記紹介装置から送信される識別タグには、実際に紹介を行った者の識別タグ以外にも、ＡＳＰが発行した任意の識別タグを指定することが可能である。【０００７】ここで、紹介装置および購入装置は、たとえばパーソナルコンピュータであるが、スマートフォンなど、本発明の実施に必要な機能を備えた装置であれば、任意の装置を用いてよい。【０００８】以上のアフィリエイトシステムの具体例として、紹介者が、自身の管理するＷｅｂサイト（紹介サイト）に、ある商品の紹介を行う例を説明する。【０００９】まず、紹介者は、ＡＳＰが管理するＷｅｂサイト（ＡＳＰサイト）における前記商品を示すＵｎｉｆｏｒｍ  Ｒｅｓｏｕｒｃｅ  Ｌｏｃａｔｏｒ（以下、ＵＲＬ）に、前記紹介者の識別タグを付加し、前記識別タグを付加したＵＲＬを持つハイパーリンクを、前記紹介サイトに設置する。【００１０】購入者が、購入装置を用いて前記紹介サイトを閲覧し、前記ハイパーリンクを辿ると、前記ハイパーリンクに含まれる前記商品を示すＵＲＬと、前記紹介者の識別タグが、前記購入装置から前記ＡＳＰサイトへ送信され、前記購入装置は、応答として、商品購入ページを受信する。【００１１】前記購入者が前記商品購入ページにて前記商品を購入した場合、前記ＡＳＰは購入した商品と、前記ＵＲＬに付加されていた識別タグの記録を行い、その時点または後日に前記ＡＳＰは前記識別タグが示す者に報酬が支払う。【００１２】なお、以上の説明において、商品の購入を以て報酬を支払う例を説明したが、たとえば、商品購入ページの閲覧後、一週間以内に前記ＡＳＰにて当該商品が購入されたのであれば、購入時に識別タグの指定がなくとも、閲覧時に指定されていた識別タグが表す紹介者に報酬を支払うようにすることもできる。【００１３】本発明においては、商品の情報を閲覧した場合や商品を購入した場合など、購入者の自発的な行為に基づいた、商品代金・サービス利用料などの支払いにつながる行為であって、報酬の支払い事由となる行為のことを指して、成約と呼ぶことにする。成約の具体的な定義は、ＡＳＰが定めた内容であり、たとえば商品の購入や、一定期間以内に購入に至った��ＳＰサイトでの商品情報の閲覧である。【００１４】以上説明したような仕組みによって、ＡＳＰは商品の広告を行うことができ、紹介者は報酬を得ることができる。【００１５】また、特許文献１では、簡易な方法で報酬を分配することができる広告料金分配システムとして、広告クリックへの報酬を、仲介者の識別タグに確率的に置換することで報酬を分配する方法が提案されている。【００１６】また、特許文献２では、収益機会を分散することができる商品紹介管理方法として、予め認証タグとともに登録した値と商品の属性値から計算される値を比較し、一致した場合、認証タグを書き換えることで、報酬を分散させる方法が提案されている。【００１７】ところで、紹介者が直接購入者に商品を紹介する手段を持っていない場合、紹介者と購入者を結びつける手段を持つ仲介者の助けによって、商品の紹介機会を増やすことが考えられる。【００１８】多数の仲介者を介在させる方法としては、Ｐｅｅｒ−ｔｏ−ｐｅｅｒネットワーク（以下、Ｐ２Ｐネットワーク）という技術がある。Ｐ２Ｐネットワークは、インターネットなどの物理的なネットワークに接続された複数のコンピュータで構築された仮想的なネットワークであり、Ｐ２Ｐネットワークに参加しているコンピュータ（以下、ノード）が、ネットワークの維持に必要な働きを行うことで構築される。【００１９】一般に、Ｐ２Ｐネットワークに参加するノードの構成は（インターネットなどの物理的なネットワークと比べて）変化させることが容易であり、事前に決定することが困難である場合が多い。【００２０】ここで、あるノードＡから別のノードＢへ情報を伝送するとき、ノードＡとノードＢが直接通信していない場合には、複数の別のノードを経由して、情報を伝送することが一般的である。このようなとき、発信ノードから宛先ノードまで、情報の伝送に関与したノードを、本発明においては中継装置と呼ぶことにする。【００２１】一般に、中継装置のような、Ｐ２Ｐネットワークの維持に関わるノードは、紹介装置や購入装置などの末端ノードよりも、ネットワークに長時間安定して接続していると考えられる。【００２２】Ｐ２Ｐネットワーク技術を用いることで、紹介装置としての紹介者のノードと、購入装置としての購入者のノードとを、中継装置で結ぶことができ、紹介者による商品の紹介を、直接接続していない購入者に送信することが可能になると考えられる。
また、Ｐ２Ｐネットワークで一般に行われているように、購入者のノードを購入装置として多数接続することによって、報酬獲得機会を増やすことができる。【００２３】Ｐ２Ｐネットワークを広告に利用する方法には、特許文献３で開示されている、Ｐ２Ｐ技術を利用する方法などがある。【００２４】従来のＰ２Ｐネットワークにおいては、伝送制御や双方向通信などのために、発信ノードから宛先ノードまでの経路情報を、宛先ノードまで送信することは、一般的に行われている。【００２５】ところで、テレビ受像機にＷｅｂブラウザが導入されるなど、アフィリエイトシステムを利用するための環境が整いつつある。【００２６】テレビ放送とアフィリエイトシステムを組み合わせた場合、放送波を用いて、同一の内容を不特定多数のテレビ受像機に配信し、視聴者がテレビ受像機のＷｅｂブラウザなどを用いて商品を購入する方法が考えられる。なお、放送波のような、同一内容を多数の端末に送信する手法は、一般にブロードキャストと呼ばれる。【００２７】たとえば、テレビ放送事業者の識別タグを紹介タグとして指定した商品紹介ＵＲＬをテレビ受像機に放送し、視聴者がテレビ受像機のＷｅｂブラウザで商品を購入した場合、ＡＳＰはテレビ放送事業者に報酬が支払うようにすることは、技術的に可能であると考えられる。
【先行技術文献】
【００２８】
【特許文献１】特開２０１０−３３２８１号公報
【特許文献２】特開２００６−４８４８０号公報
【特許文献３】特開２００７−２９３７０４号公報
【発明の概要】
【発明が解決しようとする課題】
【００２９】しかし、前記した従来技術における一般的なＡＳＰにおいて、前記の仲介者の存在を取り入れようとするとき、ＡＳＰへ紹介タグとして指定できる識別タグの個数が不足する場合に、紹介者と仲介者で報酬を分配できないという問題がある。【００３０】たとえば、商品の成約に紹介者１名と仲介者１名が関与し、ＡＳＰの販売装置へ指定できる紹介タグが１個であったとする。そのとき、紹介タグとして紹介者の識別タグを指定した場合は、仲介者へ報酬が分配されないため、仲介者が減少する虞があり、商品紹介機会の減少につながる。または、紹介タグとして紹介者の識別タグを指定した場合は、紹介者へ報酬が分配されないため、紹介者が減少する虞があり、商品の紹介の減少につながる。【００３１】ＡＳＰの販売装置を、多数の紹介タグを処理できるように変更することは、技術的には可能だと考えられるが、販売装置を管理するＡＳＰ以外の者がシステムを変更することは難しく、また、変更する場合にはコストがかかるという問題がある。【００３２】また、前記した従来技術における特許文献１に記載の従来技術では、管理者（紹介者から受信した商品の紹介情報を購入者に送信する者）が、紹介者へ広告料金を分配するための分配情報を作成し、分配情報を判断するのみで広告料金を分配する。【００３３】したがって、本発明におけるアフィリエイトシステムのように、紹介者の情報や支払い手段を仲介者が持たない状況においては、特許文献１に記載の従来技術の適用は難しい。【００３４】さらに、前記したＰ２Ｐネットワークのように、関係者を予め予測することが難しい場合や、仲介者が複数介在する場合には、仲介者が紹介者に関する情報を予め得られないため、特許文献１に記載の従来技術の適用は難しい。【００３５】さらに、特許文献１に記載の従来技術においては、報酬の分配に分配情報が必要であることから、仲介者が不特定多数の場合、ＡＳＰと不特定多数の仲介者との間で分配情報をやり取りする方法が必要になるという課題がある。分配情報は金銭に関わる情報であるため、一般的に、安全な仕組みの上でやりとりされる必要があり、通常、そのような仕組みの構築にはコストが掛かる。【００３６】特許文献２に記載の従来技術においては、特許文献２に記載の従来技術におけるアフィリエイトサーバに、報酬の分配を受けようとする者の認証タグを予め登録しておく必要があり、前記したＰ２Ｐネットワークのように、関係者を予め予測することが難しい場合や、仲介者が複数介在する場合には、適用が難しい。【００３７】特許文献３に記載の従来技術においては、認証課金サーバが、コンテンツの通信に関与した紹介者および複数の仲介者に対応する必要があり、販売装置が受け付ける識別タグが紹介者および仲介者の数より少ない場合には適用が難しい。【００３８】さらに、ＡＳＰのシステムは、ＡＳＰが管理しており、紹介者、購入者、または仲介者の都合によって変更することは難しく、また、ＡＳＰのシステムを変更する場合は、コストが掛かるという問題がある。【００３９】また、特許文献３に記載の従来技術においては、コンテンツが中継ノードを経由するごとに、経路情報として中継ノードの識別情報を追加して転送するため、中継ノードを経るごとに、通信データ量が増大するという問題がある。【００４０】前記した従来技術におけるテレビ放送とアフィリエイトシステムを組み合わせた方法としては、放送波を用いて、識別タグを含む商品ＵＲＬと、商品情報とを複数のテレビ受像機に送信し、各テレビ受像機は、受信した商品情報をテレビ画面に表示し、視聴者の指示によって、内蔵のＷｅｂブラウザで前記ＵＲＬを表示し、商品を成約させる方法が考えられる。【００４１】しかし、各テレビ受像機が受信する情報は同一であることから、各テレビ受像機が販売装置へ送信する識別タグをテレビ受像機ごとに指定できないため、複数の関係者の間で報酬を分配することが難しいという問題がある。ここでいう関係者とは、たとえば、紹介者やテレビ放送局、番組制作会社である。【００４２】そこで、本発明は前記の問題を解決し、ひとつの識別タグのみ受け付ける販売装置を利用する場合にも、複数の者の間でアフィリエイト報酬を獲得する機会を分配することのできる装置およびプログラムを提供することを課題とする。
【課題を解決するための手段】
【００４３】前記した課題を解決するため、請求項１に記載の発明は中継装置であって、
前記中継装置は、
紹介装置から商品情報と紹介者の識別タグとを受信し、前記紹介者の識別タグまたは仲介者の識別タグのいずれかひとつを確率的に選択し、前記受信した商品情報と、前記選択した識別タグとを、購入装置に送信するものとした。【００４４】請求項１に記載の発明によれば、
販売装置へ送信される識別タグは、購入者ごとに確率的に選択されるため、紹介者と仲介者の両方が報酬を獲得する機会を得られるという利点がある。【００４５】また、購入装置が販売装置へ送信する識別タグは１個であるため、識別タグを１個だけ受け付ける販売装置を使用することができるという利点がある。【００４６】また、請求項２に記載の発明は、中継プログラムであって、
前記中継プログラムは、
紹介装置から商品情報と紹介者の識別タグとを受信し、前記紹介者の識別タグまたは仲介者を表す識別のいずれかひとつを確率的に選択し、前記受信した商品情報と、前記選択した識別タグとを、購入装置に送信するものとした。【００４７】請求項２に記載の発明によれば、
販売装置へ送信される識別タグは、購入者ごとに確率的に選択されるため、紹介者と仲介者の両方が報酬を獲得する機会を得られるという利点がある。【００４８】また、購入装置が販売装置へ送信する識別タグは１個であるため、識別タグを１個だけ受け付ける販売装置を使用することができるという利点がある。【００４９】また、請求項３に記載の発明は、第３の中継装置であって、
紹介装置から購入装置まで３つ以上の中継装置を経由するＰ２Ｐネットワークにおいて、
第１の中継装置は、受信した商品情報と、受信した紹介者の識別タグと、第１の中継装置を管理する仲介者の識別タグとを、前記第３の中継装置に送信し、
前記第３の中継装置は、商品情報と、紹介者の識別タグと、仲介者の識別タグとを受信し、受信した仲介者の識別タグ、または前記第３の中継装置を管理する仲介者の識別タグのいずれかひとつを確率的に選択し、前記受信した商品情報および紹介者の識別タグと、前記選択した仲介者の識別タグとを、第２の中継装置、または、前記第３の中継装置と同様の構成を備える中継装置に送信し、
前記第２の中継装置は、商品情報と、紹介者の識別タグと、仲介者の識別タグとを受信し、前記受信した紹介者の識別タグ、または前記受信した仲介者の識別タグ、または前記第２の中継装置を管理する仲介者の識別タグのいずれかひとつを確率的に選択し、前記受信した商品情報と、前記選択した識別タグとを、前記購入装置に送信するものとした。【００５０】請求項３に記載の発明によれば、
紹介装置から購入装置までに３つ以上の中継装置を経由する場合でも、中継装置の間で伝送される仲介者の識別タグの情報は１個であり、仲介者の識別タグとして伝送される識別タグは、各中継装置を管理する仲介者の識別タグから確率的に選択されることから、ネットワークの転送データ量を一定に抑えたまま、紹介者および各仲介者が報酬を獲得する機会を得られるという利点がある。【００５１】また、紹介者の識別タグは、仲介者の識別タグとは区別されて伝送され、購入装置と直接通信する中継装置において仲介者の識別タグと合わせて確率的に選択される対象となることから、紹介者が報酬を獲得する機会を得る確率は、仲介者とは独立して計算される。したがって、中継装置の数に関係なく、紹介者が報酬を獲得する確率を任意に決定することができるという利点がある。【００５２】また、購入装置が販売装置へ送信する識別タグは１個であるため、識別タグを１個だけ受け付ける販売装置を使用することができるという利点がある。【００５３】また、請求項４に記載の発明は、第３の中継装置で動作するための中継プログラムあって、
紹介装置から購入装置まで３つ以上の中継装置を経由するＰ２Ｐネットワークにおいて、
前記紹介装置に直接接続する中継装置（第１の中継装置）は、受信した商品情報と、受信した紹介者の識別タグと、第１の中継装置を管理する仲介者の識別タグとを、前記第３の中継装置に送信し、
前記第３の中継装置は、前記中継プログラムを動作させており、
前記中継プログラムは、商品情報と、紹介者の識別タグと、仲介者の識別タグとを受信し、受信した仲介者の識別タグ、または前記第３の中継装置を管理する仲介者の識別タグのいずれかひとつを確率的に選択し、前記受信した商品情報および紹介者の識別タグと、前記選択した仲介者の識別タグとを、第２の中継装置、または、前記第３の中継装置と同様の構成を備える中継装置に送信し、
前記第２の中継装置は、商品情報と、紹介者の識別タグと、仲介者の識別タグとを受信し、前記受信した紹介者の識別タグ、または前記受信した仲介者の識別タグ、または前記第２の中継装置を管理する仲介者の識別タグのいずれかひとつを確率的に選択し、前記受信した商品情報と、前記選択した識別タグとを、前記購入装置に送信するものとした。【００５４】請求項４に記載の発明によれば、
紹介装置から購入装置までに３つ以上の中継装置を経由する場合でも、中継装置の間で伝送される仲介者の識別タグの情報は１個であり、仲介者の識別タグとして伝送される識別タグは、各中継装置を管理する仲介者の識別タグから確率的に選択されることから、ネットワークの転送データ量を一定に抑えたまま、紹介者および各仲介者が報酬を獲得する機会を得られるという利点がある。【００５５】また、紹介者の識別タグは、仲介者の識別タグとは区別されて伝送され、購入装置と直接通信する中継装置において仲介者の識別タグと合わせて確率的に選択される対象となることから、紹介者が報酬を獲得する機会を得る確率は、仲介者とは独立して計算される。したがって、中継装置の数に関係なく、紹介者が報酬を獲得する確率を任意に決定することができるという利点がある。【００５６】また、購入装置が販売装置へ送信する識別タグは１個であるため、識別タグを１個だけ受け付ける販売装置を使用することができるという利点がある。【００５７】また、請求項５に記載の発明は、第２の中継装置であって、
紹介装置から購入装置まで３つ以上の中継装置を経由するＰ２Ｐネットワークにおいて、
前記第２の中継装置は、商品情報と、紹介者の識別タグと、複数の仲介者の識別タグとを受信し、前記受信した紹介者の識別タグ、または前記受信した複数の仲介者の識別タグ、または前記第２の中継装置を管理する仲介者の識別タグの中からいずれかひとつを確率的に選択し、前記受信した商品情報と、前記選択した識別タグとを、前記購入装置に送信するものとした。【００５８】請求項５に記載の発明によれば、販売装置に送信される識別タグは、紹介者および各中継者の識別タグの中から確率的に選択されることから、紹介者と各仲介者が報酬を獲得する機会を得られるという利点がある。【００５９】また、紹介装置から購入装置までに３つ以上の中継装置を経由する場合に、Ｐ２Ｐネットワークにおける情報通信の宛先ノードである購入装置ではなく、購入装置と直接通信する中継装置において、購入装置を経て販売装置へ送信される識別タグが決定されることから、購入装置よりも比較的長時間安定して動作すると期待できる中継装置において、ＡＳＰが報酬を支払う者が決定されるという利点がある。
必要に応じて、販売装置へ送信される識別タグを、前記購入装置と直接通信する中継装置が記録し、若しくは、Ｐ２Ｐネットワークを利用して紹介装置へ返送してもよい。こうすることによって、紹介者は、商品の紹介結果を確認することができる。【００６０】また、紹介者の識別タグは、仲介者の識別タグとは区別されて伝送され、購入装置と直接通信する中継装置において仲介者の識別タグと合わせて確率的に選択される対象となることから、紹介者が報酬を獲得する機会を得る確率は、仲介者とは独立して計算される。したがって、中継装置の数に関係なく、紹介者が報酬を獲得する確率を任意に決定することができるという利点がある。【００６１】また、購入装置が販売装置へ送信する識別タグは１個であるため、識別タグを１個だけ受け付ける販売装置を使用することができるという利点がある。【００６２】また、請求項６に記載の発明は、第２の中継装置で動作するための中継プログラムであって、
紹介装置から購入装置まで３つ以上の中継装置を経由するＰ２Ｐネットワークにおいて、
前記中継プログラムは、第２の中継装置において、商品情報と、紹介者の識別タグと、複数の仲介者の識別タグとを受信し、前記受信した紹介者の識別タグ、または前記受信した複数の仲介者の識別タグ、または前記第２の中継装置を管理する仲介者の識別タグの中からいずれかひとつを確率的に選択し、前記受信した商品情報と、前記選択した識別タグとを、前記購入装置に送信するものとした。【００６３】請求項６に記載の発明によれば、販売装置に送信される識別タグは、紹介者および各中継者の識別タグの中から確率的に選択されることから、紹介者と各仲介者が報酬を獲得する機会を得られるという利点がある。【００６４】また、紹介装置から購入装置までに３つ以上の中継装置を経由する場合に、Ｐ２Ｐネットワークにおける情報通信の宛先ノードである購入装置ではなく、購入装置と直接通信する中継装置において、購入装置を経て販売装置へ送信される識別タグが決定されることから、購入装置よりも比較的長時間安定して動作すると期待できる中継装置において、ＡＳＰが報酬を支払う者が決定されるという利点がある。【００６５】たとえば、販売装置へ送信される識別タグを、前記購入装置と直接通信する中継装置が記録し、若しくは、Ｐ２Ｐネットワークを利用して紹介装置へ返送してもよい。こうすることによって、紹介者は、その時点または後日に、商品の実際の紹介結果を確認することができる。【００６６】また、紹介者の識別タグは、仲介者の識別タグとは区別されて伝送され、購入装置と直接通信する中継装置において仲介者の識別タグと合わせて確率的に選択される対象となることから、紹介者が報酬を獲得する機会を得る確率は、仲介者とは独立して計算される。したがって、中継装置の数に関係なく、紹介者が報酬を獲得する確率を任意に決定することができるという利点がある。【００６７】また、購入装置が販売装置へ送信する識別タグは１個であるため、識別タグを１個だけ受け付ける販売装置を使用することができるという利点がある。【００６８】また、請求項７に記載の発明は、購入装置であって、前記購入装置は、
送信装置から、商品情報と、２つ以上の識別タグとを受信し、
受信した識別タグのいずれかひとつを確率的に選択し、前記受信した商品情報と、前記選択した識別タグとを、販売装置に送信するものとした。【００６９】請求項７に記載の発明によれば、送信装置から購入装置への通信手法がブロードキャストであり、２つの以上の購入装置に対して同一の情報が送信される場合にも、各購入装置で確率的な選択が行われ、販売装置に送信されるため、送信装置が送信した識別タグが表す２人以上の者が報酬を獲得する機会を得られるという利点がある。【００７０】また、購入装置が販売装置へ送信する識別タグは１個であるため、識別タグを１個だけ受け付ける販売装置を使用することができるという利点がある。【００７１】また、請求項８に記載の発明は、購入プログラムであって、前記購入プログラムは、
送信装置から、商品情報と、２つ以上の識別タグとを受信したことを受けて、
受信した識別タグのいずれかひとつを確率的に選択し、前記受信した商品情報と、前記選択した識別タグとを、販売装置に送信するものとした。【００７２】請求項８に記載の発明によれば、送信装置から購入装置への通信手法がブロードキャストであり、２つの以上の購入装置に対して同一の情報が送信される場合にも、各購入装置で確率的な選択が行われ、販売装置に送信されるため、送信装置が送信した識別タグが表す２人以上の者が報酬を獲得する機会を得られるという利点がある。【００７３】また、購入装置が販売装置へ送信する識別タグは１個であるため、識別タグを１個だけ受け付ける販売装置を使用することができるという利点がある。【００７４】なお、請求項８に記載の発明における購入プログラムを、送信装置から購入装置へ、商品情報および識別タグの送信より以前または同時に、送信し、購入装置で動作させてもよい。このようにすることによって、購入装置を修正することなく、新しいＡＳＰに対応することや、報酬の分配確率を変更することができる。
【発明の効果】
【００７５】本発明に係る中継装置、または前記中継装置で動作するための中継プログラムによれば、ひとつの識別タグを受け付ける販売装置を用いるＡＳＰを利用して、複数の者が報酬を獲得する機会を得ることができる。【００７６】また、本発明に係る購入装置、または前記購入装置で動作するための購入プログラムによれば、送信装置から購入装置への通信路がブロードキャストであり、送信する識別タグを購入装置ごとに指定できず、ひとつの識別タグを受け付ける販売装置を用いるＡＳＰを利用する場合にも、複数の者が報酬を獲得する機会を得ることができる。
【図面の簡単な説明】
【００７７】
【図１】  本発明の第１の実施の形態に係るアフィリエイト報酬獲得機会分配システムの構成概略図である。
【図２】  本発明の第１の実施の形態に係る各装置の管理者と関係を示した図である。
【図３】  本発明の第１の実施の形態に係る、商品、代金、報酬の授受の様子を示した図である。
【図４】  商品情報の例を示した図である。
【図５】  本発明の第１の実施の形態に係る装置の構成図である。
【図６】  本発明の第１の実施の形態に係る中継装置の送受信データの例を示した図である。
【図７】  識別タグの例を示した図である。
【図８】  本発明の第２の実施の形態に係るアフィリエイト報酬獲得機会分配システムの構成概略図である。
【図９】  本発明の第２の実施の形態に係る各装置の管理者と関係を説明するための図である。
【図１０】  本発明の第２の実施の形態に係る、商品、代金、報酬の授受の様子を示した図である。
【図１１】  本発明の第２の実施の形態に係る中継装置の送受信データの例を示した図である。
【図１２】  本発明の第２の実施の形態に係る装置の構成図である。
【図１３】  本発明の第３の実施の形態に係るアフィリエイト報酬獲得機会分配システムの構成概略図である。
【図１４】  本発明の第３の実施の形態に係る各装置の管理者と関係を説明するための図である。
【図１５】  本発明の第３の実施の形態に係る、商品、代金、報酬の授受の様子を示した図である。
【図１６】  本発明の第３の実施の形態に係る中継装置の送受信データの例を示した図である。
【図１７】  本発明の第３の実施の形態に係る装置の構成図である。
【図１８】  本発明の第４の実施の形態に係るアフィリエイト報酬獲得機会分配システムの構成概略図である。
【図１９】  本発明の第４の実施の形態に係る各装置の管理者と関係を説明するための図である。
【図２０】  本発明の第４の実施の形態に係る、商品、代金、報酬の授受の様子を示した図である。
【図２１】  本発明の第４の実施の形態に係る装置の構成図である。
【図２２】  本発明の第４の実施の形態に係る送信装置の構成図である。
【図２３】  本発明の第４の実施の形態に係る記憶装置の格納データを説明するための図である。
【図２４】  本発明の第１の実施の形態に係るフローチャートである。
【図２５】  本発明の第２の実施の形態に係るフローチャートである。
【図２６】  本発明の第３の実施の形態に係るフローチャートである。
【図２７】  本発明の第４の実施の形態に係るフローチャートである。
【発明を実施するための最良の形態】
【００７８】以下、本発明を実施するための最良の形態（以下、実施の形態という）を、図面を参照しながら説明する。【００７９】＜第１の実施の形態＞
図１は、本発明の一実施の形態に係る報酬獲得機会分配システムの構成を説明するためのブロック図である。【００８０】紹介装置１００は、パーソナルコンピュータであり、
中継装置２００は、サーバコンピュータであり、
購入装置３００は、パーソナルコンピュータであり、
販売装置４００は、サーバコンピュータであり、
紹介装置１００と、中継装置２００と、購入装置３００と、販売装置４００とは、インターネット９００によって接続されている。
ただし、いずれの装置についても、本発明に実施に必要な特徴を備えていれば、前記した形態の装置に限らず本発明を実施することができる。【００８１】図２は、紹介装置１００と、中継装置２００と、購入装置３００と、販売装置４００とに関する、各装置の使用者および管理者と、情報通信の流れとを説明するための図である。
紹介装置１００は紹介者１０によって使用されている。中継装置２００は、仲介者２０によって管理されている。購入装置３００は、購入者３０によって使用されている。販売装置４００は、ＡＳＰ４０によって管理されている。
紹介装置１００は中継装置２００へ、中継装置２００は購入装置３００へ、購入装置３００は販売装置４００へ、それぞれ情報を送信することができる。【００８２】図５は、本発明の実施の形態における各装置の構成を説明するための図である。
紹介装置１００は、送信部１０１と、記憶部１０３と、入力部１０４と、制御部１０９とを備え、
中継装置２００は、送信部２０１と、受信部２０２と、記憶部２０３と、制御部２０９とを備え、
購入装置３００は、送信部３０１と、受信部３０２と、表示部３０５と、入力部３０６と、制御部３０９とを備え、
販売装置４００は、受信部４０２と、記録部４０３と、制御部４０９とを備えることを特徴とし、
記憶部１０３は、紹介者１０の識別タグを格納しており、
記憶部２０３は、仲介者２０の識別タグを格納しており、
表示部３０５は、購入者３０に対して商品の情報を表示することができ、
入力部３０６は、表示部３０５が表示した商品を購入する許可を購入者３０から入力として受け付けることができ、
送信部１０１は、インターネット９００を経由して、受信部２０２へ、商品情報および識別タグを送信することができ、受信部２０２は、送信部１０１から前記情報を受信することができ、
送信部２０１は、インターネット９００を経由して、受信部３０２へ情報を送信することができ、受信部３０２は、送信部２０１から前記情報を受信することができ、
送信部３０１は、インターネット９００を経由して、受信部４０２へ情報を送信することができ、受信部４０２は、送信部３０１から前記情報を受信することができることを特徴とする。【００８３】図７は、識別タグの例を説明するための図であって、識別タグ９７１は紹介者１０の識別タグの例であり、識別タグ９７２は仲介者２０の識別タグの例である。【００８４】各構成要素は、具体的には、
送信部１０１と、送信部２０１および受信部２０２と、送信部３０１および受信部３０２と、受信部４０２とは、イーサネット（登録商標）回線と接続したＴＣＰ／ＩＰデータを送受信できるＮＩＣ（Ｎｅｔｗｏｒｋ  Ｉｎｔｅｒｆａｃｅ  Ｃａｒｄ）であり、
制御部１０９と、制御部２０９と、制御部３０９と、制御部４０９とは、ＣＰＵ（Ｃｅｎｔｒａｌ  Ｐｒｏｃｅｓｓｉｎｇ  Ｕｎｉｔ）および、ＣＰＵを本発明の実施の形態における当該制御部として動作させるための命令が格納されたＲＯＭ（Ｒｅａｄ  Ｏｎｌｙ  Ｍｅｍｏｒｙ）であり、
記憶部１０３と、記憶部２０３とは、ＲＯＭであり、
表示部３０５は、ディスプレイ装置であり、
入力部３０６は、マウス装置であり、
記録部４０３は、ＨＤＤ（Ｈａｒｄ  Ｄｉｓｋ  Ｄｒｉｖｅ）などの書き込み可能な不揮発性記録装置である。
ただし、本発明の実施においては、上記に挙げた機器の他にも、必要な特徴を備える任意の機器を利用することができる。【００８５】図４は、商品情報の例を示すための図であって、商品情報テーブル９４１は、商品の識別子と、商品の名称と、商品の価格からなるテキストデータである。商品情報テーブル９４１を通信路で伝送するために、たとえば、ＸＭＬ（ｅＸｔｅｎｓｉｂｌｅ  Ｍａｒｋｕｐ  Ｌａｎｇｕａｇｅ）などの構造化テキストデータの形式を用いることができる。【００８６】図２４は、本実施の形態におけるフローチャートであって、紹介者１０が紹介装置１００に入力した商品の商品情報が、販売装置４００まで伝送され、成約に至るまでの様子を説明するための図である。【００８７】まず、紹介装置１００の入力部１０４が、紹介者１０から商品情報を入力として受け取る（Ｓ１０１）。【００８８】次に、送信部１０１が、Ｓ１０１で受け取った商品情報と、記憶部１０３に格納されている紹介者１０の識別タグとを、中継装置２００に送信する（Ｓ１０２）。【００８９】次に、中継装置２００の受信部２０２は、紹介装置１００から、商品情報と、紹介者１０の識別タグとを受信する（Ｓ２０１）。【００９０】次に、中継装置２００の制御部２０９は、Ｓ２０１で受信した紹介者１０の識別タグ、または、記憶部２０３に格納されている仲介者２０の識別タグのいずれかひとつを、確率的に選択する（Ｓ２０２）。【００９１】本発明の実施の形態におけるＳ２０２での「確率的に選択する」とは、たとえば、０から９までの整数の乱数を生成して、生成された値が０から６の場合は紹介者１０の識別タグを選択し、７から９の場合には仲介者２０の識別タグを選択するということである。この場合は、７割の確率で紹介者１０の識別タグが選択され、残り３割の確率で仲介者２０の識別タグが選択されることになる。【００９２】次に、中継装置２００の送信部２０１は、前記受信した商品情報と、Ｓ２０２で選択した識別タグとを、購入装置３００に送信する（Ｓ２０３）。【００９３】Ｓ２０２において、仲介者２０の識別タグを選択した場合の、中継装置２００の送受信データについて、図６を参照しながら説明する。中継装置１００は、Ｓ２０１で、データテーブル９１１に示すような、商品情報と、紹介者１０の識別タグを受信する。Ｓ２０３では、データテーブル９１２に示すような、商品情報と、仲介者２０の識別タグを送信する。【００９４】なお、中継装置２００に２台以上の購入装置が接続している場合、Ｓ２０２およびＳ２０３を、接続している購入装置ごとに繰り返す。こうして、購入装置ごとに、送信する識別タグを確率的に選択するようにする。【００９５】次に、購入装置３００の受信部３０２は、中継装置２００から、商品情報と識別タグとを受信する（Ｓ３０１）。【００９６】次に、購入装置３００の制御部３０９は、表示部３０５を用いて、購入者３０に対してＳ３０１で受信した商品情報を表示し、入力部３０６を用いて、購入者３０から購入開始許可を確認する（Ｓ３０２）。【００９７】制御部３０９が購入者３０の購入開始許可を確認する方法としては、表示部３０５に商品情報と購入ボタンを表示し、入力部３０６のマウスから前記購入ボ��ンのクリックが入力されたことを以て購入開始許可の確認とする方法がある。ただし、本発明の実施においては、一般に利用者の意思確認に用いられている他の対話手段を用いて、購入開始許可を確認することができる。【００９８】次に、購入装置３００の送信部３０１は、Ｓ３０１で受信した商品情報および識別タグを、販売装置４００に送信する（Ｓ３０３）。【００９９】次に、販売装置４００の受信部４０２は、購入装置３００から、商品情報および識別タグを受信する（Ｓ４０１）。【０１００】次に、販売装置４００の制御部４０９は、受信した商品情報および識別タグを、記録部４０３に記録する（Ｓ４０２）。【０１０１】なお、Ｓ１０２、Ｓ２０１、Ｓ２０３、Ｓ３０１、Ｓ３０３、Ｓ４０１の各ステップで送受信される商品情報を、商品の識別子のみに減らし、Ｓ３０２で購入者３０に商品の情報を表示する前に、販売装置４００などから、商品の識別子を元に商品の名称や価格などを取得するようにしてもよい。これによって、インターネット９００上で伝送される情報量を削減することができる。【０１０２】図３は、上記ステップを経て購入者３０がＡＳＰ４０と成約したときの、ＡＳＰ４０と、紹介者１０、仲介者２０、および購入者３０との関係を説明するための図である。
購入者３０がＡＳＰ４０と成約すると、購入者３０はＡＳＰ４０に対し商品の代金を支払い、ＡＳＰ４０は商品を購入者３０に送付し、ＡＳＰ４０は、Ｓ４０２で記録した情報を元に、紹介者１０または仲介者２０のいずれかに報酬を支払う。【０１０３】なお、説明の便宜上、購入装置は１台であるとしたが、２台以上の購入装置を中継装置２００と接続してもよい。その場合、紹介者１０と仲介者２０は、より多くの報酬獲得機会を得ることができる。【０１０４】以上に説明した本発明の実施の形態によれば、紹介者および仲介者は、購入者ごとに、Ｓ２０２における確率的選択の結果次第で、ＡＳＰから報酬を獲得できる。したがって、ＡＳＰの販売装置が２個以上の識別タグを受け付けない場合にも、紹介者と仲介者とが報酬獲得機会を得られることになる。【０１０５】なお、本発明の実施の形態においては、購入者が商品を購入するとして説明したが、実際の実施においては、アフィリエイトシステムで扱うことのできる、任意の商品やサービスに適用することができる。【０１０６】＜第２の実施の形態＞
図８は、本発明の一実施の形態に係る報酬獲得機会分配システムの構成を説明するためのブロック図である。本発明の第１の実施の形態と同じ装置については、同じ符号を付与し、説明は省略する。【０１０７】第１の中継装置としての中継装置２００ａは、パーソナルコンピュータであり、
第３の中継装置としての中継装置２００ｂは、パーソナルコンピュータであり、
第２の中継装置としての中継装置２００ｃは、パーソナルコンピュータであり、
紹介装置１００と、中継装置２００ａと、中継装置２００ｂと、中継装置２００ｃと、購入装置３００と、販売装置４００とは、インターネット９００によって接続されている。
ただし、いずれの装置についても、本発明に実施に必要な特徴を備えていれば、前記した形態の装置に限らず本発明を実施することができる。【０１０８】図９は、各装置の使用者および管理者と、情報通信の流れとを説明するための図である。
本発明の第１の実施の形態における要素と同じものについては、同じ符号を付与し、説明は省略する。【０１０９】中継装置２００ａは、仲介者２０ａによって管理されている。中継装置２００ｂは、仲介者２０ｂによって管理されている。中継装置２００ｃは、仲介者２０ｃによって管理されている。
紹介装置１００は中継装置２００ａへ、中継装置２００ａは中継装置２００ｂへ、中継装置２００ｂは中継装置２００ｃへ、中継装置２００ｃは購入装置３００へ、購入装置３００は販売装置４００へ、それぞれ情報を送信することができる。【０１１０】図１２は、本発明の実施の形態における各装置の構成を示した図である。本発明における第１の実施の形態と同じ要素については、同じ符号を付与し、説明は省略する。
中継装置２００ａは、送信部２０１ａと、受信部２０２ａと、記憶部２０３ａと、制御部２０２ａとを備え、
中継装置２００ｂは、送信部２０１ｂと、受信部２０２ａと、記憶部２０３ｂと、制御部２０２ｂとを備え、
中継装置２００ｃは、送信部２０１ｃと、受信部２０２ａと、記憶部２０３ｃと、制御部２０２ｃとを備えることを特徴とし、
記憶部２０３ａは、仲介者２０ａの識別タグを格納しており、
記憶部２０３ｂは、仲介者２０ｂの識別タグを格納しており、
記憶部２０３ｃは、仲介者２０ｃの識別タグを格納しており、
送信部１０１は、インターネット９００を経由して、受信部２０２ａへ、商品情報および紹介者の識別タグを送信することができ、受信部２０２ａは、送信部１０１から前記情報を受信することができ、
送信部２０１ａは、インターネット９００を経由して、受信部２０２ｂへ、商品情報と、紹介者の識別タグと、仲介者の識別タグとを送信することができ、受信部２０２ｂは、送信部２０１ａから前記情報を受信することができ、
送信部２０１ｂは、インターネット９００を経由して、受信部２０２ｃへ、商品情報と、紹介者の識別タグと、仲介者の識別タグとを送信することができ、受信部２０２ｃは、送信部２０１ｂから前記情報を受信することができ、
送信部２０１ｃは、インターネット９００を経由して、受信部３０１へ、商品情報および識別タグを送信することができることを特徴とする。【０１１１】商品情報は、たとえば、商品の識別子と、商品の名称と、商品の価格であって、伝送においては、ＸＭＬなどによって構造化したテキストデータとすることができる。【０１１２】各構成要素は、具体的には、
送信部１０１と、送信部２０１ａおよび受信部２０２ａと、送信部２０１ｂおよび受信部２０２ｂと、送信部２０１ｃおよび受信部２０２ｃと、送信部３０１および受信部３０２と、受信部４０２とは、イーサネット回線と接続したＴＣＰ／ＩＰデータを送受信できるＮＩＣであり、
制御部２０９ａと、制御部２０９ｂと、制御部２０９ｃとは、ＣＰＵおよび、ＣＰＵを本発明の実施の形態における当該制御部として動作させるための命令が格納されたＲＯＭであり、
記憶部２０３ａと、記憶部２０３ｂと、記憶部２０３ｃとは、ＲＯＭである。
ただし、本発明の実施においては、上記に挙げた機器の他にも、必要な特徴を備える任意の機器を利用することができる。【０１１３】図２５は、本実施の形態におけるフローチャートであって、紹介者１０が紹介装置１００を用いて紹介した商品の商品情報が、販売装置４００まで伝送され、成約に至るまでの様子を説明するための図である。【０１１４】まず、紹介装置１００の入力部１０４が、紹介者１０から商品情報を入力として受け取る（Ｓ１０１ａ）。【０１１５】次に、送信部１０１が、紹介者１０が入力した商品情報と、記憶部１０３に格納されている紹介者１０の識別タグとを、中継装置２００ａに送信する（Ｓ１０２ａ）。【０１１６】次に、中継装置２００ａの受信部２０２ａは、紹介装置１００から、商品情報と紹介者１０の識別タグとを受信する（Ｓ２０１ａ）。【０１１７】次に、中継装置２００ａの制御部２０９ａは、記憶部２０３ａから、仲介者２０ａの識別タグを読み出し、送信部２０１ａを用いて、Ｓ２０１ａで受信した商品情報および紹介者１０の識別タグと、読み出した仲介者２０ａの識別タグとを、中継装置２００ｂに送信する（Ｓ２０３ａ）。【０１１８】次に、中継装置２００ｂの受信部２０２ｂは、中継装置２００ａから、商品情報と、紹介者１０の識別タグと、仲介者２０ａの識別タグとを受信する（Ｓ２０１ｂ）。【０１１９】次に、中継装置２００ｂの制御部２０９ｂは、記憶部２０３ｂから、仲介者２０ｂの識別タグを読み込み、Ｓ２０１ｂで受信した仲介者２０ａの識別タグと、読み込んだ仲介者２０ｂの識別タグのいずれかひとつを、確率的に選択する（Ｓ２０２ｂ）。【０１２０】本発明の実施の形態におけるＳ２０２ｂでの「確率的に選択する」とは、たとえば、０から９までの整数の乱数を生成して、生成された値が０から４の場合は仲介者２０ａの識別タグを選択し、５から９の場合には仲介者２０ｂの識別タグを選択するということである。この場合は、５割の確率で仲介者２０ａの識別タグが選択され、残り５割の確率で仲介者２０ｂの識別タグが選択されることになる。【０１２１】次に、中継装置２００ｂの制御部２０９ｂは、送信部２０１ｂを用いて、Ｓ２０１ｂで受信した商品情報および紹介者１０の識別タグと、Ｓ２０２ｂで選択した識別タグとを、中継装置２００ｃに送信する（Ｓ２０３ｂ）。【０１２２】Ｓ２０２ｂにおいて仲介者２０ｂの識別タグを選択した場合の、中継装置２００ｂの送受信データについて、図１１を参照しながら説明する。中継装置２００ｂは、Ｓ２０１ｂで、データテーブル９２１に示すような、商品情報と、紹介者１０の識別タグと、仲介者２０ａの識別タグとを受信する。Ｓ２０３ｂでは、データテーブル９２２に示すような、商品情報と、紹介者１０の識別タグと、仲介者２０ｂの識別タグとを送信する。【０１２３】次に、中継装置２００ｃの受信部２０２ｃは、中継装置２００ｂから、商品情報と、紹介者１０の識別タグと、仲介者２０ａまたは仲介者２０ｂの識別タグとを受信する（Ｓ２０１ｃ）。【０１２４】次に、中継装置２００ｃの制御部２０９ｃは、記憶部２０３ｃから、仲介者２０ｃの識別タグを読み込み、Ｓ２０１ｃで受信した紹介者１０の識別タグと、仲介者２０ａまたは仲介者２０ｂの識別タグと、読み込んだ仲介者２０ｃの識別タグとの中からいずれかひとつの識別タグを、確率的に選択する（Ｓ２０２ｃ）。【０１２５】本発明の実施の形態におけるＳ２０２ｃでの「確率的に選択する」とは、たとえば、０から９までの整数の乱数を生成して、生成された値が０から４の場合は紹介者１０の識別タグを選択し、５から７の場合には仲介者２０ｃの識別タグを選択し、８から９の場合には受信した識別タグを選択するということである。前記のＳ２０２ｂとあわせると、５割の確率で紹介者１０の識別タグが選択され、３割の確率で仲介者２０ｃの識別タグが選択され、１割の確率で仲介者２０ａの識別タグが選択され、１割の確率で仲介者２０ｂの識別タグが選択されることになる。【０１２６】次に、中継装置２００ｃの制御部２０９ｃは、送信部２０１ｃを用いて、Ｓ２０１ｃで受信した商品情報と、Ｓ２０２ｃで選択した識別タグとを、購入装置３００に送信する（Ｓ２０３ｃ）。【０１２７】次に、購入装置３００の受信部３０２は、中継装置２００ｃから、商品情報と、紹介者１０または仲介者２０ａまたは仲介者２０ｂまたは仲介者２０ｃのいずれかの識別タグとを受信する（Ｓ３０１）。【０１２８】Ｓ３０１より後の処理フローは、本発明の第１の実施の形態におけるＳ４０１以降の流れと同様である。【０１２９】なお、Ｓ１０２ａ、Ｓ２０１ａ、Ｓ２０３ａ、Ｓ２０１ｂ、Ｓ２０３ｂ、Ｓ２０１ｃ、Ｓ２０３ｃ、Ｓ３０１、Ｓ３０３、Ｓ４０１の各ステップで送受信される商品情報を、商品の識別子のみに減らし、Ｓ３０２で購入者３０に商品の情報を表示する前に、販売装置４００などから、商品の識別子を元に商品の名称や価格などを取得するようにしてもよい。
これによって、インターネット９００上で伝送される情報量を削減することができる。【０１３０】図１０は、上記ステップを経て購入者３０がＡＳＰ４０と成約したときの、ＡＳＰ４０と、紹介者１０、仲介者２０ａ、仲介者２０ｂ、仲介者２０ｃ、および購入者３０との関係を説明するための図である。【０１３１】購入者３０がＡＳＰ４０と成約すると、購入者３０はＡＳＰ４０に対し商品の代金を支払い、ＡＳＰ４０は商品を購入者３０に送付し、ＡＳＰ４０は、Ｓ４０２で記録した情報を元に、紹介者１０または仲介者２０ａまたは仲介者２０ｂまたは仲介者２０ｃのいずれかに報酬を支払う。【０１３２】なお、説明の便宜上、紹介装置１００から購入装置３００まで３台の中継装置を経由するものとしたが、２台、または４台以上の中継装置を接続し、紹介装置から購入装置までの通信経路を確保してもよい。【０１３３】中継装置を２台とする場合は、中継装置２００ｂを構成から取り除き、ステップＳ２０３ａで、中継装置２００ａから中継装置２００ｃへ商品情報および識別タグを送信するようにすればよい。【０１３４】中継装置を４台以上とする場合には、３台目以降の中継装置は、本発明の実施の形態における中継装置２００ｂに相当する動作を行えばよい。たとえば、４台目を中継装置αとした場合、中継装置２００ｂは中継装置αへ商品情報と識別タグを送信するようにし、中継装置αは、中継装置２００ｂと同様の動作の後、中継装置２００ｃへ商品情報と識別タグを送信するようにすればよい。【０１３５】このようにすると、Ｐ２Ｐネットワークの構成を柔軟にすることができ、紹介者と仲介者は、より多くの報酬獲得機会を得ることができる。【０１３６】また、説明の便宜上、購入装置は１台であるとしたが、２台以上の購入装置を中継装置２００ｃと接続してもよい。このようにすると、紹介者と仲介者は、より多くの報酬獲得機会を得ることができる。【０１３７】また、説明の便宜上、中継装置２００ａおよび中継装置２００ｂについて、送信先の中継装置は１台としたが、２台以上の中継装置を接続してもよい。
このようにすると、Ｐ２Ｐネットワークをより大規模にすることができ、より多くの購入装置が接続できるようになるため、紹介者と仲介者は、より多くの報酬獲得機会を得ることができる。【０１３８】以上に説明した本発明の実施の形態によれば、紹介者および各仲介者のいずれもが、購入者ごとに、Ｓ２０２ｂ、Ｓ２０２ｃにおける確率的選択の結果次第で、ＡＳＰから報酬を獲得できる。【０１３９】したがって、ＡＳＰ４０の販売装置４００が２個以上の識別タグに対応していない場合であっても、紹介者と各仲介者とが報酬獲得機会を得られることになる。【０１４０】なお、本発明の実施の形態においては、購入者が商品を購入するとして説明したが、実際の実施においては、アフィリエイトシステムで扱うことのできる、任意の商品やサービスに適用することができる。【０１４１】＜第３の実施の形態＞
図１３は、本発明の一実施の形態に係る報酬獲得機会分配システムの構成を説明するためのブロック図である。本発明の第２の実施の形態と同じ装置については、同じ符号を付与し、説明は省略する。【０１４２】第３の中継装置としての中継装置２００ｘは、パーソナルコンピュータであり、
第２の中継装置としての中継装置２００ｙは、パーソナルコンピュータであり、
紹介装置１００と、中継装置２００ａと、中継装置２００ｘと、中継装置２００ｙと、購入装置３００と、販売装置４００とは、インターネット９００によって接続されている。
ただし、いずれの装置についても、本発明に実施に必要な特徴を備えていれば、前記した形態の装置に限らず本発明を実施することができる。【０１４３】図１４は、各装置の使用者および管理者と、情報通信の流れとを説明するための図である。本発明の第２の実施の形態における要素と同じものについては、同じ符号を付与し、説明は省略する。【０１４４】中継装置２００ｘは、仲介者２０ｘによって管理されている。中継装置２００ｙは、仲介者２０ｙによって管理されている。
紹介装置１００は中継装置２００ａへ、中継装置２００ａは中継装置２００ｘへ、中継装置２００ｘは中継装置２００ｙへ、中継装置２００ｙは購入装置３００へ、購入装置３００は販売装置４００へ、それぞれ情報を送信することができる。【０１４５】図１７は、本発明の実施の形態における各装置の構成を示した図である。本発明における第２の実施の形態と同じ要素については、同じ符号を付与し、説明は省略する。【０１４６】中継装置２００ｘは、送信部２０１ｘと、受信部２０２ｘと、記憶部２０３ｘと、制御部２０２ｘとを備え、
中継装置２００ｙは、送信部２０１ｙと、受信部２０２ｙと、記憶部２０３ｙと、制御部２０２ｙとを備えることを特徴とし、
記憶部２０３ｘは、仲介者２０ｘの識別タグを格納しており、
記憶部２０３ｙは、仲介者２０ｙの識別タグを格納しており、
送信部２０１ａは、インターネット９００を経由して、受信部２０２ｘへ、商品情報と、紹介者の識別タグと、仲介者の識別タグとを送信することができ、受信部２０２ｘは、送信部２０１ａから前記情報を受信することができ、
送信部２０１ｘは、インターネット９００を経由して、受信部２０２ｙへ、商品情報と、紹介者の識別タグと、複数の仲介者の識別タグとを送信することができ、受信部２０２ｙは、送信部２０１ｘから前記情報を受信することができ、
送信部２０１ｙは、インターネット９００を経由して、受信部３０１へ、商品情報および識別タグを送信することができることを特徴とする。【０１４７】商品情報は、たとえば、商品の識別子と、商品の名称と、商品の価格であって、伝送においては、ＸＭＬなどによって構造化したテキストデータとすることができる。【０１４８】各構成要素は、具体的には、
送信部２０１ｘおよび受信部２０２ｘと、送信部２０１ｙおよび受信部２０２ｙとは、イーサネット回線と接続したＴＣＰ／ＩＰデータを送受信できるＮＩＣであり、
制御部２０９ｘと、制御部２０９ｙとは、ＣＰＵおよび、ＣＰＵを本発明の実施の形態における当該制御部として動作させるための命令が格納されたＲＯＭであり、
記憶部２０３ｘと、記憶部２０３ｙとは、ＲＯＭである。【０１４９】ただし、本発明の実施においては、上記に挙げた機器の他にも、必要な特徴を備える任意の機器を利用することができる。【０１５０】図２６は、本実施の形態におけるフローチャートであって、紹介者１０が紹介装置１００を用いて紹介した商品の商品情報が、販売装置４００まで伝送され、成約に至るまでの様子を説明するための図である。【０１５１】まず、紹介装置１００の入力部１０４が、紹介者１０から商品情報を入力として受け取る（Ｓ１０１ａ）。【０１５２】次に、送信部１０１が、紹介者１０が入力した商品情報と、記憶部１０３に格納されている紹介者１０の識別タグとを、中継装置２００ａに送信する（Ｓ１０２ａ）。【０１５３】次に、中継装置２００ａの受信部２０２ａは、紹介装置１００から、商品情報と紹介者１０の識別タグとを受信する（Ｓ２０１ａ）。【０１５４】次に、中継装置２００ａの制御部２０９ａは、記憶部２０３ａから、仲介者２０ａの識別タグを読み出し、送信部２０１ａを用いて、Ｓ２０１ａで受信した商品情報および紹介者１０の識別タグと、読み出した仲介者２０ａの識別タグとを、中継装置２００ｂに送信する（Ｓ２０３ａ）。【０１５５】次に、中継装置２００ｘの受信部２０２ｘは、中継装置２００ａから、商品情報と、紹介者１０の識別タグと、仲介者２０ａの識別タグとを受信する（Ｓ２０１ｂ）。【０１５６】次に、中継装置２００ｘの制御部２０９ｘは、記憶部２０３ｘから、仲介者２０ｘの識別タグを読み込む（Ｓ２０２ｘ）。【０１５７】次に、中継装置２００ｘ制御部２０９ｘは、送信部２０１ｘを用いて、Ｓ２０１ｂで受信した商品情報および紹介者１０の識別タグおよび仲介者２０ａの識別タグと、Ｓ２０２ｘで読み込んだ仲介者２０ｘの識別タグとを、中継装置２００ｙに送信する（Ｓ２０３ｘ）。【０１５８】中継装置２００ｘの送受信データについて、図１６を参照しながら説明する。中継装置２００ｘは、Ｓ２０１ｂで、データテーブル９２３に示すような、商品情報と、紹介者１０の識別タグと、仲介者２０ａの識別タグとを受信する。Ｓ２０３ｘでは、データテーブル９２４に示すような、商品情報と、紹介者１０の識別タグと、仲介者２０ａの識別タグと、仲介者２０ｘの識別タグとを送信する。【０１５９】次に、中継装置２００ｙの受信部２０２ｙは、中継装置２００ｘから、商品情報と、紹介者１０の識別タグと、仲介者２０ａの識別タグと、仲介者２０ｘの識別タグとを受信する（Ｓ２０１ｙ）。【０１６０】次に、中継装置２００ｙの制御部２０９ｙは、記憶部２０３ｙから、仲介者２０ｙの識別タグを読み込み、Ｓ２０１ｙで受信した紹介者１０の識別タグと、仲介者２０ａの識別タグと、仲介者２０ｘの識別タグと、読み込んだ仲介者２０ｙの識別タグとの中から、いずれかひとつの識別タグを、確率的に選択する（Ｓ２０２ｙ）。【０１６１】本発明の実施の形態におけるＳ２０２ｙでの「確率的に選択する」とは、たとえば、０から９までの整数の乱数を生成して、生成された値が０から６の場合は紹介者１０の識別タグを選択し、７の場合には仲介者２０ａの識別タグを選択し、８の場合には仲介者２０ｘの識別タグを選択し、９の場合には仲介者２０ｙの識別タグを選択するということである。【０１６２】次に、中継装置２００ｙの制御部２０９ｙは、送信部２０１ｙを用いて、Ｓ２０１ｙで受信した商品情報と、Ｓ２０２ｙで選択した識別タグとを、購入装置３００に送信する（Ｓ２０３ｙ）。【０１６３】次に、購入装置３００の受信部３０２は、中継装置２００ｙから、商品情報と、紹介者１０または仲介者２０ａまたは仲介者２０ｘまたは仲介者２０ｙのいずれかの識別タグとを受信する（Ｓ３０１）。【０１６４】Ｓ３０１より後の処理フローは、本発明の第１の実施の形態におけるＳ４０１以降の流れと同様である。【０１６５】なお、Ｓ１０２ａ、Ｓ２０１ａ、Ｓ２０３ａ、Ｓ２０１ｘ、Ｓ２０３ｘ、Ｓ２０１ｙ、Ｓ２０３ｙ、Ｓ３０１、Ｓ３０３、Ｓ４０１の各ステップで送受信される商品情報を、商品の識別子のみに減らし、Ｓ３０２で購入者３０に商品の情報を表示する前に、販売装置４００などから、商品の識別子を元に商品の名称や価格などを取得するようにしてもよい。
これによって、インターネット９００上で伝送される情報量を削減することができる。【０１６６】図１５は、上記ステップを経て購入者３０がＡＳＰ４０と成約したときの、ＡＳＰ４０と、紹介者１０、仲介者２０ａ、仲介者２０ｘ、仲介者２０ｙ、および購入者３０との関係を説明するための図である。【０１６７】購入者３０がＡＳＰ４０と成約すると、購入者３０はＡＳＰ４０に対し商品の代金を支払い、ＡＳＰ４０は商品を購入者３０に送付し、ＡＳＰ４０は、Ｓ４０２で記録した情報を元に、紹介者１０または仲介者２０ａまたは仲介者２０ｘまたは仲介者２０ｙのいずれかに報酬を支払う。【０１６８】なお、説明の便宜上、紹介装置１００から購入装置３００まで３台の中継装置を経由するものとしたが、２台、または４台以上の中継装置を接続し、紹介装置から購入装置までの通信経路を確保してもよい。【０１６９】中継装置を２台とする場合は、中継装置２００ｘを構成から取り除き、ステップＳ２０３ａで、中継装置２００ａから中継装置２００ｙへ商品情報および識別タグを送信するようにすればよい。【０１７０】中継装置を４台以上とする場合には、３台目以降の中継装置は、本発明の実施の形態における中継装置２００ｘに相当する動作を行えばよい。たとえば、４台目を中継装置βとした場合、中継装置２００ｘは中継装置βへ商品情報と識別タグを送信するようにし、中継装置βは、中継装置２００ｘと同様の動作の後、中継装置２００ｙへ商品情報と識別タグを送信するようにすればよい。【０１７１】このようにすると、Ｐ２Ｐネットワークの構成を柔軟にすることができ、より多くの購入装置および中継装置を接続できるようになるため、紹介者と仲介者は、より多くの報酬獲得機会を得ることができる。【０１７２】また、説明の便宜上、購入装置は１台であるとしたが、２台以上の購入装置を中継装置２００ｙと接続してもよい。このようにすると、紹介者と仲介者は、より多くの報酬獲得機会を得ることができる。【０１７３】また、説明の便宜上、中継装置２００ａおよび中継装置２００ｘについて、送信先の中継装置は１台としたが、２台以上の中継装置を接続してもよい。
このようにすると、Ｐ２Ｐネットワークをより大規模にすることができ、より多くの購入装置が接続できるようになるため、紹介者と仲介者は、より多くの報酬獲得機会を得ることができる。【０１７４】以上に説明した本発明の実施の形態によれば、紹介者および各仲介者のいずれもが、購入者ごとに、Ｓ２０２ｙにおける確率的選択の結果次第で、ＡＳＰから報酬を獲得できる。
したがって、ＡＳＰ４０の販売装置４００が２個以上の識別タグに対応していない場合であっても、紹介者と各仲介者とが報酬獲得機会を得られることになる。【０１７５】なお、本発明の実施の形態においては、購入者が商品を購入するとして説明したが、実際の実施においては、アフィリエイトシステムで扱うことのできる、任意の商品やサービスに適用することができる。【０１７６】＜第４の実施の形態＞
図１８は、本発明の一実施の形態に係る報酬獲得機会分配システムの構成を説明するためのブロック図である。本発明の第１の実施の形態における要素と同じものについては、同じ符号を付与し、説明は省略する。【０１７７】紹介装置１００ｅは、パーソナルコンピュータであり、
放送装置２００ｅは、デジタルデータをデジタルテレビ放送として送信する機器であり、
受像機３００ｅは、デジタルテレビ放送を受信できるテレビ受像機であり、
紹介装置１００ｅと、放送装置２００ｅとは、専用通信回線９６０によって接続されており、
受像機３００ｅは、放送装置２００ｅから放送波９５０として送信されたデータを受信することができ、
受像機３００ｅと、販売装置４００とは、インターネット９００によって接続されている。
ただし、いずれの装置についても、本発明に実施に必要な特徴を備えていれば、前記した形態の装置に限らず本発明を実施することができる。【０１７８】図１９は、各装置の使用者および管理者と、情報通信の流れとを説明するための図である。本発明の第１の実施の形態における要素と同じものについては、同じ符号を付与し、説明は省略する。【０１７９】紹介装置１００ｅは紹介者１０ｅによって使用されている。放送装置２００ｅは、放送局２０ｅによって管理されている。受像機３００ｅは、視聴者３０ｅによって使用されている。
紹介装置１００ｅは放送装置２００ｅへ、放送装置２００ｅは受像機３００ｅへ、受像機３００ｅは販売装置４００へ、それぞれ情報を送信することができる。【０１８０】図２１は、本発明の実施の形態における各装置の構成を説明するための図である。本発明の第１の実施の形態における要素と同じものについては、同じ符号を付与し、説明は省略する。【０１８１】紹介装置１００ｅは、送信部１０１ｅと、記憶部１０３ｅとを備え、
放送装置２００ｅは、放送部２０１ｅと、受信部２０２ｅと、制御部２０９ｅとを備え、
受像機３００ｅは、送信部３０１ｅと、受信部３０２ｅと、表示部３０５ｅと、入力部３０６ｅと、制御部３０９ｅとを備えることを特徴とし、
記憶部１０３ｅは、２つ以上の識別タグを格納しており、
表示部３０５ｅは、視聴者３０ｅに対して商品の情報を表示することができ、
入力部３０６ｅは、表示部３０５ｅが表示した商品を購入する許可を視聴者３０ｅから入力として受け付けることができ、
送信部１０１ｅは、専用通信回線９６０を経由して、受信部２０２ｅへ情報を送信することができ、
受信部２０２ｅは、放送波９５０を経由して、受信部３０２ｅへ情報を送信することができ、
送信部３０１ｅは、インターネット９００を経由して、受信部４０２へ情報を送信することができることを特徴とする。【０１８２】各構成要素の具体例は、
送信部１０１ｅと、受信部２０２ｅと、送信部３０１ｅとは、イーサネット回線でＴＣＰ／ＩＰデータを送受信できるＮＩＣであり、
放送部２０１ｅは、デジタルデータを電波としてアンテナで発信するための機器であり、
受信部３０２ｅは、アンテナで電波を受信してデジタルデータに変換するための機器であり、
制御部１０９ｅと、制御部２０９ｅと、制御部３０９ｅと、制御部４０９とは、ＣＰＵおよび、ＣＰＵを本発明の実施の形態における当該制御部として動作させるための命令が格納されたＲＯＭであり、
記憶部１０３ｅと、記憶部２０３ｅは、ＲＯＭであり、
表示部３０５ｅは、テレビ受像機の液晶画面であり、
入力部３０６ｅは、テレビ受像器に付属するリモコンから赤外線信号を受信するための赤外線受光器であり、
記録部４０３は、ＨＤＤなどの書き込み可能な不揮発性記録装置である。
ただし、本発明の実施においては、上記に挙げた機器の他にも、必要な特徴を備える任意の機器を利用することができる。【０１８３】図２３は、記憶部１０３ｅに、３つの識別タグが格納されている様子を説明するための図である。第１の識別タグとして紹介者１０ｅの識別タグが、第２の識別タグとして放送局２１ｅの識別タグが、第３の識別タグとして制作者２２ｅの識別タグを格納されている。【０１８４】制作者２２ｅとは、本発明の実施の形態において、紹介者１０ｅ、放送局２１ｅと共に、報酬の獲得機会の分配を受け、ＡＳＰ４０から報酬を獲得しようとする者であって、たとえば、紹介者が紹介しようとする商品に関連するテレビ番組を制作した者である。【０１８５】説明の便宜上、本発明の実施の形態では、上記の３つの識別タグが記憶部１０３ｅに格納されているものとするが、実際の実施においては、記憶部１０３ｅに２つ以上の任意の識別タグを格納することができる。【０１８６】図２７は、本実施の形態におけるフローチャートであって、紹介者１０ｅが紹介装置１００ｅを用いて紹介した商品の商品情報が、販売装置４００まで伝送され、成約に至るまでの様子を説明するための図である。【０１８７】まず、紹介装置１００ｅの入力部１０４ｅが、紹介者１０ｅから商品情報を入力として受け取る（Ｓ１０１ｅ）。【０１８８】次に、制御部１０９ｅは、Ｓ１０１ｅで受け取った商品情報と、記憶部１０３ｅに格納されている複数の識別タグとを、送信部１０１ｅを用いて放送装置２００ｅに送信する（Ｓ１０２ｅ）。【０１８９】商品情報は、たとえば、商品の識別子と、商品の名称と、商品の価格であって、伝送においては、ＸＭＬなどによって構造化したテキストデータとすることができる。【０１９０】次に、放送装置２００ｅの受信部２０２ｅは、紹介装置１００ｅから、商品情報と複数の識別タグとを受信する（Ｓ２０１ｅ）。【０１９１】次に、放送装置の放送部２０１ｅは、Ｓ２０１ｅで受信した商品情報および複数の識別タグを、放送波として送信する（Ｓ２０３ｅ）。【０１９２】次に受像機３００ｅの受信部３０２ｅは、放送装置２００ｅから、商品情報と複数の識別タグとを受信する（Ｓ３０１ｅ）。【０１９３】次に、受像機３００ｅの制御部３０９ｅは、表示部３０５ｅを用いて、視聴者３０ｅに対して、Ｓ３０１ｅで受信した商品情報を表示し、入力部３０６ｅを用いて視聴者３０ｅによる購入開始許可を確認する（Ｓ３０２ｅ）。【０１９４】制御部３０９ｅが視聴者３０ｅの購入開始許可を確認する方法としては、表示部３０５ｅに商品情報を表示し、入力部３０６ｅがリモコンから購入ボタンの押下検知信号を受信したことを以て購入開始許可の確認とする方法がある。ただし、本発明の実施においては、一般に利用者の意思確認に用いられている他の対話手段を用いて、購入開始許可を確認することができる。【０１９５】次に、受像器３００ｅの制御部３０９ｅは、Ｓ３０１ｅで受信した商品情報と複数の識別タグの中から、いずれかひとつを確率的に選択する（Ｓ３０４ｅ）。【０１９６】本発明の実施の形態におけるＳ３０４ｅでの「確率的に選択する」とは、たとえば、０から９までの整数の乱数を生成して、生成された値が０から５の場合は紹介者１０ｅの識別タグを選択し、６から７の場合には放送局２１ｅの識別タグを選択し、８から９の場合には制作者２２ｅの識別タグを選択するということである。【０１９７】次に、受像機３００ｅの送信部３０４ｅは、Ｓ３０１ｅで受信した商品情報と、Ｓ３０４ｅで選択した識別タグとを、販売装置４００に送信する（Ｓ３０３ｅ）。【０１９８】Ｓ３０３ｅより後の処理フローは、本発明の第１の実施の形態におけるＳ４０１以降の流れと同様である。【０１９９】なお、Ｓ２０３ｅおよびＳ３０１ｅで送受信される商品情報を、商品の識別子のみに減らし、Ｓ３０２ｅで視聴者３０ｅに商品の情報を表示する前に、販売装置４００などから、商品の識別子を元に商品の名称や価格などを取得するようにしてもよい。これによって、放送波９５０上で伝送される情報量を削減することができる。【０２００】また、Ｓ１０２ｅで放送装置が受像器３００ｅに送信するデータに、本発明の請求項８の購入プログラムを含めて送信してもよい。その場合には、受像器３００ｅは、Ｓ３０１ｅで当該購入プログラムを受信し、Ｓ３０２ｅの前に当該購入プログラムの動作を開始し、Ｓ３０２ｅ以降の受像器３００ｅでのステップを、当該購入プログラムによって行うようにする。このようにすることによって、購入装置を修正することなく、新しいＡＳＰに対応することや、報酬の分配確率を変更することができるようになる。【０２０１】図２０は、上記ステップを経て視聴者３０ｅがＡＳＰ４０と成約したときの、ＡＳＰ４０と、紹介者１０ｅ、放送局２１ｅ、および制作者２２ｅとの関係を説明するための図である。【０２０２】視聴者３０ｅがＡＳＰ４０と成約すると、視聴者３０ｅはＡＳＰ４０に対し商品の代金を支払い、ＡＳＰ４０は商品を視聴者３０ｅに送付し、ＡＳＰ４０は、Ｓ４０２で記録した情報を元に、紹介者１０ｅまたは放送局２１ｅまたは制作者２２ｅのいずれかに報酬を支払う。【０２０３】なお、説明の便宜上、受像機は１台であるとしたが、２台以上の多数の受像機を対象とすることが望ましい。このようにすることで、紹介者１０ｅと放送局２１ｅと制作者２２ｅは、より多くの報酬獲得機会を得ることができる。【０２０４】また、説明の便宜上、本発明の実施例においては、紹介装置１００ｅと放送装置２００ｅとして分けて説明したが、実際の実施においては、
放送部２０１ｅと、記憶部１０３ｅと、入力部１０４ｅと、制御部１０９ｆとを備えることを特徴とし、
制御部１０９ｆは、入力部１０４ｅが紹介者１０ｅから商品情報を入力として受け取ったあと、前記商品情報と、記憶部１０３ｅから読み込んだ複数の識別タグとを、放送部２０１ｅを用いて、購入装置３００ｅへ送信するように構成された、
図２２に示すような送信装置１００ｆを以て、紹介装置１００ｅと放送装置２００ｅに代えてもよい。【０２０５】このようにすることで、放送範囲が局所的な場合などに、必要に応じて装置の構成を単純化し、コストを抑えることができる。【０２０６】以上に説明した本発明の実施の形態によって、紹介者が送信した複数の識別タグの表す者のいずれもが、Ｓ３０４ｅでの確率的選択の結果次第で、ＡＳＰから報酬を獲得できる。
したがって、ＡＳＰの販売装置が２個以上の識別タグに対応していない場合であっても、２名以上の複数の者が報酬獲得機会を得られることになる。【０２０７】なお、本発明の実施の形態においては、購入者が商品を購入するとして説明したが、実際の実施においては、アフィリエイトシステムで扱うことのできる、任意の商品やサービスに適用することができる。
【符号の説明】
【０２０８】１０，１０ｅ  紹介者
２０，２０ａ，２０ｂ，２０ｃ，２０ｘ，２０ｙ  仲介者
２１ｅ  放送局
２２ｅ  制作者
３０  購入者
３０ｅ  視聴者
４０  ＡＳＰ
１００，１００ｅ  紹介装置
１００ｆ  送信装置
１０１，１０１ｅ  送信部
１０３，１０３ｅ  記憶部
１０４，１０４ｅ  入力部
１０９，１０９ｅ，１０９ｆ  制御部
２００，２００ａ，２００ｂ，２００ｃ，２００ｘ，２００ｙ  中継装置
２００ｅ  放送装置
２０１，２０１ａ，２０１ｂ，２０１ｃ，２０１ｘ，２０１ｙ  送信部
２０１ｅ  放送部
２０２，２０２ａ，２０２ｂ，２０２ｃ，２０２ｘ，２０２ｙ，２０２ｅ  受信部
２０３，２０３ａ，２０３ｂ，２０３ｃ，２０３ｘ，２０３ｙ  記憶部
２０９，２０９ａ，２０９ｂ，２０９ｃ，２０９ｘ，２０９ｙ，２０９ｅ  制御部
３００  購入装置
３００ｅ  受像機
３０１，３０１ｅ  送信部
３０２，３０２ｅ  受信部
３０５，３０５ｅ  表示部
３０６，３０６ｅ  入力部
３０９，３０９ｅ  制御部
４００  販売装置
４０２  受信部
４０３  記録部
４０９  制御部
９００  インターネット
９１１  紹介装置１００から中継装置２００への伝送情報の例
９１２  中継装置２００から購入装置３００への伝送情報の例
９２１  中継装置２００ａから中継装置２００ｂへの伝送情報の例
９２２  中継装置２００ｂから中継装置２００ｃへの伝送情報の例
９２３  中継装置２００ａから中継装置２００ｘへの伝送情報の例
９２４  中継装置２００ｘから中継装置２００ｙへの伝送情報の例
９３１  放送装置２００ｅから受像器３００ｅへの伝送情報の例
９４１  商品情報の例
９５０  放送波
９６０  専用通信回線
９７１  紹介者１０の識別タグの例
９７２  仲介者２０の識別タグの例
【図１】
2012073988.tif 000003
【図２】
2012073988.tif 000004
【図３】
2012073988.tif 000005
【図４】
2012073988.tif 000006
【図５】
2012073988.tif 000007
【図６】
2012073988.tif 000008
【図７】
2012073988.tif 000009
【図８】
2012073988.tif 000010
【図９】
2012073988.tif 000011
【図１０】
2012073988.tif 000012
【図１１】
2012073988.tif 000013
【図１２】
2012073988.tif 000014
【図１３】
2012073988.tif 000015
【図１４】
2012073988.tif 000016
【図１５】
2012073988.tif 000017
【図１６】
2012073988.tif 000018
【図１７】
2012073988.tif 000019
【図１８】
2012073988.tif 000020
【図１９】
2012073988.tif 000021
【図２０】
2012073988.tif 000022
【図２１】
2012073988.tif 000023
【図２２】
2012073988.tif 000024
【図２３】
2012073988.tif 000025
【図２４】
2012073988.tif 000026
【図２５】
2012073988.tif 000027
【図２６】
2012073988.tif 000028
【図２７】
2012073988.tif 000029